(57)【特許請求の範囲】
【請求項１】
風呂追い焚き回路の熱交換器と給湯回路の熱交換器とを１つの熱交換缶体内に導くことにより、１つの熱交換缶体によって前記２回路の熱交換加熱を兼用して行うことができるように構成し、沸騰防止用サーモセンサを前記給湯回路の熱交換器の途中位置に設け、風呂追い焚き単独運転中に前記沸騰防止用サーモセンサが一定の沸騰危険下限温度以上を検出した場合には、前記熱交換缶体における燃焼運転を一旦停止するようにすると共に、沸騰防止用サーモセンサが前記沸騰危険下限温度未満を検出している場合であっても、前記給湯回路の熱交換器の下流位置に設けた出湯サーモセンサが一定の沸騰危険下限温度以上を検出した場合には、一旦前記熱交換缶体における燃焼運転を停止させるようにした１缶２回路式風呂釜装置であって、
風呂追い焚き単独運転において、沸騰防止用サーモセンサの検出温度が一定の燃焼許容上限温度以下で、出湯サーモセンサの検出温度が沸騰危険下限温度未満で且つ一定の燃焼許容上限温度を超える場合には、前回の燃焼停止から一定の待機時間の経過を待って、燃焼運転を再開するようにしたコントローラを有することを特徴とする１缶２回路式風呂釜装置。
【請求項２】
風呂追い焚き回路の熱交換器と給湯回路の熱交換器とを１つの熱交換缶体内に導くことにより、１つの熱交換缶体によって前記２回路の熱交換加熱を兼用して行うことができるように構成し、沸騰防止用サーモセンサを前記給湯回路の熱交換器の途中位置に設け、風呂追い焚き単独運転中に前記沸騰防止用サーモセンサが一定の沸騰危険下限温度以上を検出した場合には、前記熱交換缶体における燃焼運転を一旦停止するようにすると共に、沸騰防止用サーモセンサが前記沸騰危険下限温度未満を検出している場合であっても、前記給湯回路の熱交換器の下流位置に設けた出湯サーモセンサが一定の沸騰危険下限温度以上を検出した場合には、一旦前記熱交換缶体における燃焼運転を停止させるようにした１缶２回路式風呂釜装置であって、
風呂追い焚き単独運転において、前記沸騰防止用サーモセンサが沸騰危険下限温度未満を検出している場合であっても、前記給湯回路の熱交換器の下流位置に設けた出湯サーモセンサが一定の沸騰危険下限温度以上を検出した場合には、沸騰防止用サーモセンサ側の沸騰危険下限温度及び燃焼許容上限温度をそれぞれより低い一定温度に変更設定した後、燃焼運転を停止させるようにしたコントローラを有することを特徴とする１缶２回路式風呂釜装置。
【請求項３】
風呂追い焚き単独運転において、沸騰防止用サーモセンサ及び出湯サーモセンサの両方がそれぞれ沸騰危険下限温度未満の一定の燃焼許容上限温度以下を検出した場合には、燃焼運転を開始するようにしたコントローラを有することを特徴とする請求項２に記載の１缶２回路式風呂釜装置。
【発明の詳細な説明】
【０００１】
【発明の属する技術分野】
本発明は、風呂追い焚き回路の熱交換器と給湯回路の熱交換器とを１つの熱交換缶体内に導くことにより、１つの熱交換缶体によって前記２回路の熱交換加熱を兼用して行うことができるようにした１缶２回路式風呂釜装置に関する。
【０００２】
【従来の技術】
風呂追い焚き回路の熱交換器と給湯回路の熱交換器とを１つの熱交換缶体内に導くことにより、１つの熱交換缶体によって前記２回路の熱交換加熱を兼用して行うことができるようにした１缶２回路式風呂釜装置においては、従来、風呂追い焚き単独運転中に、前記給湯回路の熱交換器の途中位置に設けた沸騰防止用サーモセンサが一定の沸騰危険下限温度以上を検出した場合には、前記熱交換缶体における燃焼運転を一旦停止するようにしていた。
【０００３】
【発明が解決しようとする課題】
ところが、上記従来の１缶２回路式風呂釜装置での風呂追い焚き単独運転において、給湯栓等がほんの少し開かれて給湯回路に最低作動水量未満の水量が流れた場合には、運転モードとしては引き続き風呂追い焚き単独運転であるにも拘わらず、その給湯回路を流れる少量の水によって、給湯回路の熱交換器の途中位置に設けられた沸騰防止用サーモセンサの検出温度の上昇が抑制され、燃焼運転が連続されやすい状態となる。このため、給湯回路の前記熱交換器の全路を通過し終わった少量の水は、沸騰状態になりやすく、この沸騰の際に異常音を発したり、また給湯栓から高温の水が出る等の問題があった。
【０００４】
そこで本発明は、上記従来の１缶２回路式風呂釜装置での欠点を解消し、風呂追い焚き単独運転中において、給湯回路側に給湯運転が開始されない程度の少量の水が流れた場合でも、その水が沸騰したり、またそれによって耳障りな異常音を発したり、高温水が給湯栓から出たりするのを防止することができる１缶２回路式風呂装置の提供を課題とする。
【０００５】
【課題を解決するための手段】
上記課題を達成するため、本発明の１缶２回路式風呂釜装置は、風呂追い焚き回路の熱交換器と給湯回路の熱交換器とを１つの熱交換缶体内に導くことにより、１つの熱交換缶体によって前記２回路の熱交換加熱を兼用して行うことができるように構成し、沸騰防止用サーモセンサを前記給湯回路の熱交換器の途中位置に設け、風呂追い焚き単独運転中に前記沸騰防止用サーモセンサが一定の沸騰危険下限温度以上を検出した場合には、前記熱交換缶体における燃焼運転を一旦停止するようにすると共に、沸騰防止用サーモセンサが前記沸騰危険下限温度未満を検出している場合であっても、前記給湯回路の熱交換器の下流位置に設けた出湯サーモセンサが一定の沸騰危険下限温度以上を検出した場合には、一旦前記熱交換缶体における燃焼運転を停止させるようにした１缶２回路式風呂釜装置であって、
風呂追い焚き単独運転において、沸騰防止用サーモセンサの検出温度が一定の燃焼許容上限温度以下で、出湯サーモセンサの検出温度が沸騰危険下限温度未満で且つ一定の燃焼許容上限温度を超える場合には、前回の燃焼停止から一定の待機時間の経過を待って、燃焼運転を再開するようにしたコントローラを有することを第１の特徴としている。
また本発明の１缶２回路式風呂釜装置は、風呂追い焚き回路の熱交換器と給湯回路の熱交換器とを１つの熱交換缶体内に導くことにより、１つの熱交換缶体によって前記２回路の熱交換加熱を兼用して行うことができるように構成し、沸騰防止用サーモセンサを前記給湯回路の熱交換器の途中位置に設け、風呂追い焚き単独運転中に前記沸騰防止用サーモセンサが一定の沸騰危険下限温度以上を検出した場合には、前記熱交換缶体における燃焼運転を一旦停止するようにすると共に、沸騰防止用サーモセンサが前記沸騰危険下限温度未満を検出している場合であっても、前記給湯回路の熱交換器の下流位置に設けた出湯サーモセンサが一定の沸騰危険下限温度以上を検出した場合には、一旦前記熱交換缶体における燃焼運転を停止させるようにした１缶２回路式風呂釜装置であって、
風呂追い焚き単独運転において、前記沸騰防止用サーモセンサが沸騰危険下限温度未満を検出している場合であっても、前記給湯回路の熱交換器の下流位置に設けた出湯サーモセンサが一定の沸騰危険下限温度以上を検出した場合には、沸騰防止用サーモセンサ側の沸騰危険下限温度及び燃焼許容上限温度をそれぞれより低い一定温度に変更設定した後、燃焼運転を停止させるようにしたコントローラを有することを第２の特徴としている。
また本発明の１缶２回路式風呂釜装置は、上記第２の特徴に加えて、風呂追い焚き単独運転において、沸騰防止用サーモセンサ及び出湯サーモセンサの両方がそれぞれ沸騰危険下限温度未満の一定の燃焼許容上限温度以下を検出した場合には、燃焼運転を開始するようにしたコントローラを有することを第３の特徴としている。
【０００６】
上記本発明の第１の特徴において、沸騰危険下限温度とは、熱交換器の温度が沸騰危険下限温度以上になると、その熱交換器の管内を通る水が沸騰する危険が生じる温度をいうものとする。風呂追い焚き単独運転中であって、給湯回路側に全く水が流れていない場合で、前記沸騰防止用サーモセンサが一定の沸騰危険下限温度以上を検出した場合には、給湯回路の熱交換器と同じ熱交換缶体の同様な位置に配置されている風呂追い焚き回路の熱交換器側においても、その内部を流れる水が沸騰する恐れがあるので、風呂追い焚きの燃焼運転が一時的に停止される。一方、給湯回路側に少量の水が流れている場合には、給湯回路の熱交換器の途中位置に設けた沸騰防止用サーモセンサの検出温度はなかなか沸騰危険下限温度以上まで上昇しない一方、給湯回路の熱交換器の全路を経た少量の水は沸騰するほど加熱される。従って、給湯回路の熱交換器の下流位置に設けた出湯サーモセンサの検出する温度も合わせて考慮することにより、給湯回路を流れる少量水の沸騰を防止し、これによって沸騰の際の耳障りな異常音発生の防止と高温水出湯の恐れを防止する。
前記沸騰危険下限温度は、例えば95℃とすることができるが、その温度以上では沸騰の恐れが生じる温度として、予め実験により適当な温度を定める。勿論、前記95℃以外の温度を採用してもよい。また沸騰防止用サーモセンサ側の沸騰危険下限温度と出湯サーモセンサ側の沸騰危険下限温度とは、同じ温度とする他、異なる温度を採用してもよい。
【０００７】
また上記本発明の第１の特徴において、燃焼許容上限温度は、例えば９０℃とすることができるが、前記沸騰危険下限温度より低い適当な温度を、予め実験によって定めておくことができる。沸騰防止用サーモセンサ側の燃焼許容上限温度と出湯サーモセンサ側の燃焼許容上限温度とは、同じ温度とする他、異なる温度を採用してもよい。
【０００８】
また上記本発明の第１の特徴において、一定の待機時間は例えば１分とすることができるが、予め実験で数十秒から数分程度の範囲で適当な待機時間を定めることができる。
沸騰防止用サーモセンサの検出温度が一定の燃焼許容上限温度以下で、出湯サーモセンサの検出温度が沸騰危険下限温度未満で且つ一定の燃焼許容上限温度を超える場合には、未だ燃焼を再開する条件は満たされていないが、出湯サーモセンサの検出温度が沸騰危険下限温度未満に低下してきており、もう少し待機させれば必ず燃焼許容上限温度以下に下がることが確実であるので、一定の待機時間を待って自動的に燃焼開始するようにしたのである。
【０００９】
また上記本発明の第２の特徴において、沸騰防止用サーモセンサが沸騰危険下限温度未満を検出している場合であっても、出張サーモセンサが沸騰危険下限温度以上を検出した場合には、燃焼運転を停止すると共に、沸騰防止用サーモセンサ側の沸騰危険下限温度及び燃焼許容上限温度をそれぞれより低い一定温度に変更設定することで、燃焼運転が一旦停止された後における再燃焼の際に、熱交換缶体や熱交換器の温度が大きく上昇するのを抑制することができ、これによって熱交換缶体やその中の熱交換器の温度を低下させて、少量の水が流れている給湯回路側での沸騰の予防を確実に促すことができる。
また上記本発明の第３の特徴においては、第２の特徴による作用効果に加えて、風呂追い焚き単独運転において、沸騰防止用サーモセンサ及び出湯サーモセンサの両方がそれぞれ沸騰危険下限温度未満の一定の燃焼許容上限温度以下を検出した場合には、燃焼運転が再開される。
【００１０】
【発明の実施の形態】
図１は本発明の１缶２回路式風呂釜装置の実施の形態例を示す全体構成図、図２は本発明装置による風呂追い焚き単独運転時の第１の制御例を示すフローチャート、図３は本発明装置による風呂追い焚き単独運転時の第２の制御例を示すフローチャート、図４は本発明装置による風呂追い焚き単独運転時の第３の制御例を示すフローチャート、図５は本発明装置による風呂追い焚き単独運転時の第４の制御例を示すフローチャートである。
【００１１】
図１において、熱交換缶体10には、その上部にバーナ20を備え、またバーナ20の燃焼用空気を供給する送風機30を備えている。また熱交換缶体10に対しては給湯回路40と風呂追い焚き回路50とが配管されている。
【００１２】
前記バーナ20は、例えば本例においては石油バーナとし、リターン式ノズル等の石油噴霧ノズル21と該石油噴霧ノズル21に対して石油を供給する石油供給管22、及び戻り管26、及び前記石油供給管22に設けられる電磁ポンプ等からなる供給ポンプ23、電磁弁24、石油温度センサ25等が設けられている。
前記送風機30には回転数センサ31等が設けられている。
前記バーナ20による石油噴霧量は原則としてＦＦ制御されると共にＦＢ制御される。また前記送風機30による送風量は原則としてＦＦ制御で行われる。
【００１３】
前記給湯回路40は、上水道と直結する入水管41と、熱交換器42と、出湯管43とを有し、前記入水管41からはバイパス管44が分岐し、該バイパス管44と前記出湯管43とが合流して給湯管45となっている。給湯管45は途中で一般給湯管45a と風呂自動給湯管45b とに分かれている。
給湯回路40には、その入水管41に入水温度センサ41a や入水流量センサ41b が設けられ、前記熱交換器42にはその途中で熱交換缶体10から出た場所に沸騰防止用サーモセンサ42a が設けられている。また出湯管43には出湯サーモセンサ43a が設けられている。またバイパス管44には流量比例調節弁44a が設けられている。また給湯管45には過流出防止器45c と給湯温度センサ45d とが設けられている。前記一般給湯管45a は台所や洗面所等に温水を供給するための給湯管である。また前記風呂自動給湯管45b は前記風呂追い焚き回路50を介して浴槽へ温水を自動給湯して湯張りをしたり、注ぎ湯をするための給湯管である。
【００１４】
前記風呂追い焚き回路50は、浴槽から浴槽水を熱交換缶体10に導く戻り管51と、熱交換器52と、熱交換缶体10で熱交換された浴槽水を浴槽へ導く往き管53等を有する。54は循環ポンプである。戻り管51には風呂サーモセンサ51a 、水流スイッチ51b 等が設けられている。
【００１５】
１缶２回路式風呂釜装置全体の制御はマイコンを内蔵のコントローラ60により行われる。
今、給湯運転のメインのスイッチがオンしている状態で、例えば一般給湯管45a のカランが開放され、入水管41の入水流量センサ41b が最低作動流量以上を検出すると、給湯運転が開始され、バーナ20による燃焼が開始される。コントローラ60は、設定給湯温度と、入水温度と、入水流量等の情報を入力して、必要燃焼熱量である出湯号数を演算し、該出湯号数でバーナ20の燃焼をＦＦ制御する。前記出湯号数とは、１リットルの水を一分間に25℃上昇させるのに必要な熱量である。そして実際の給湯温度と設定給湯温度とを比較して、その差が無くなるようにバーナ20の燃焼をＦＢ制御する。
また、図示しない風呂リモコンによって風呂追い焚き運転が指令されると、コントローラ60によって、循環ポンプ54が駆動開始され、水流スイッチ51b が水流を検出すると、原則として、バーナ20の燃焼運転が開始され、浴槽水の温度が風呂設定温度になるまで燃焼が行われる。但し、給湯回路40や風呂追い焚き回路50を通る水の沸騰を防止するために、一定の条件下において、燃焼が停止されたり、燃焼が再開されたりする。
【００１６】
前記コントローラ60による、風呂追い焚き単独運転時における沸騰防止ための第１の制御機構を、図２のフローチャートを参照して説明する。
今、図示しないリモコン等により、風呂追い焚き運転だけが指令されると、コントローラ60によって、風呂追い焚き単独運転が開始される。コントローラ60は、沸騰防止用サーモセンサ42a が検出する温度が燃焼許容上限温度である90℃以下であること（ステップＳ１でイエス）及び出湯サーモセンサ43a が検出する温度が燃焼許容上限温度である90℃未満であること（ステップＳ２でイエス）を確認して、バーナ20による熱交換缶体10の燃焼運転を開始する（ステップＳ３）。
燃焼運転開始後、コントローラ60は、沸騰防止用サーモセンサ42a が沸騰危険下限温度である95℃以上を検出するか否か（ステップＳ４）及び出湯サーモセンサ43a が沸騰危険下限温度である95℃以上を検出するか否か（ステップＳ５）を管理しながら、燃焼を継続し、風呂サーモセンサ51a の検出温度が風呂設定温度以上（ステップＳ６でイエス）になれば、燃焼運転を終了すると共に風呂追い焚き運転を終了する（ステップＳ７）。
【００１７】
前記燃焼運転中において、沸騰防止用サーモセンサ42a が沸騰危険下限温度以上を検出した（ステップＳ４でイエス）場合には、コントローラ60はバーナ20による燃焼を停止する（ステップＳ８）。
また沸騰防止用サーモセンサ42a が沸騰危険下限温度未満を検出している場合であっても（ステップＳ４でノー）、出湯サーモセンサ43a が沸騰危険下限温度以上を検出している（ステップＳ５でイエス）場合には、燃焼を停止する（ステップＳ８）。このような現象が生じる場合は、風呂追い焚き運転中において給湯回路40に、最低作動水量未満の少量の水、即ち給湯運転が開始されない程度の水が流れた場合である。この場合には、給湯運転は開始されないので、風呂追い焚き単独運転が引き続き継続するが、給湯回路40の熱交換器42の途中に設けられた沸騰防止用サーモセンサ42a は、熱交換器42の途中位置を流れている未だ十分に加熱されていない前記少量の水によって、温度上昇が抑制され、沸騰危険下限温度未満を検出する。その一方、前記給湯回路40の熱交換器42の全路を経た少量の水は、十分に加熱されて沸騰危険下限温度以上に上昇し、出湯サーモセンサ43a に沸騰危険下限温度以上を検出させる。
【００１８】
コントローラ60は、風呂追い焚き運転中であって、バーナ20の燃焼運転が停止されている間、沸騰防止用サーモセンサ42a が燃焼許容上限温度である90℃以下になるか否か（ステップＳ１）、及び出湯サーモセンサ43a が燃焼許容上限温度である90℃以下になるか否か（ステップＳ２）を監視し、両センサ42a 、43a が何れも90℃以下を検出した場合（ステップＳ１がイエスで且つステップＳ２がイエスの場合）には、バーナ20の再燃焼運転を開始する（ステップＳ３）。
【００１９】
図３のフローチャートを参照して、本発明装置による風呂追い焚き単独運転時の第２の制御例を説明する。
今、図示しないリモコン等により、風呂追い焚き運転だけが指令されると、コントローラ60によって、風呂追い焚き単独運転が開始される。コントローラ60は、沸騰防止用サーモセンサ42a が検出する温度が燃焼許容上限温度である90℃以下であること（ステップＳ11でイエス）及び出湯サーモセンサ43a が検出する温度が燃焼許容上限温度である90℃未満であること（ステップＳ12でイエス）を確認して、バーナ20による熱交換缶体10の燃焼運転を開始する（ステップＳ13）。
燃焼運転開始後、コントローラ60は、沸騰防止用サーモセンサ42a が沸騰危険下限温度である95℃以上を検出するか否か（ステップＳ14）及び出湯サーモセンサ43a が沸騰危険下限温度である95℃以上を検出するか否か（ステップＳ15）を監視しながら、燃焼を継続し、風呂サーモセンサ51a の検出温度が風呂設定温度以上（ステップＳ16でイエス）になれば、燃焼運転を終了すると共に風呂追い焚き運転を終了する（ステップＳ17）。
前記燃焼運転中において、沸騰防止用サーモセンサ42a が沸騰危険下限温度以上を検出した（ステップＳ14でイエス）場合には、コントローラ60はバーナ20による燃焼を停止する（ステップＳ18）。また沸騰防止用サーモセンサ42a が沸騰危険下限温度未満を検出している場合であっても（ステップＳ14でノー）、出湯サーモセンサ43a が沸騰危険下限温度以上を検出している（ステップＳ15でイエス）場合には、燃焼を停止する（ステップＳ18）。このような現象が生じる場合は、既述したように、風呂追い焚き運転中において給湯回路40に、最低作動水量未満の少量の水、即ち給湯運転が開始されない程度の水が流れた場合である。
以上は既述した図２で示す第１の例と同様である。
【００２０】
コントローラ60は、風呂追い焚き運転中であって、バーナ20の燃焼運転が停止されている間、沸騰防止用サーモセンサ42a が燃焼許容上限温度である90℃以下になるか否か（ステップＳ11）、及び出湯サーモセンサ43a が燃焼許容上限温度である90℃以下になるか否か（ステップＳ12）を監視し、両センサ42a 、43a が何れも90℃以下を検出した場合（ステップＳ11がイエスで且つステップＳ12がイエスの場合）には、バーナ20の再燃焼運転を開始する（ステップＳ13）。
また、沸騰防止用サーモセンサ42a が90℃以下であるのに（ステップＳ11でイエス）、出湯サーモセンサ43a が90℃を越える場合（ステップＳ12でノー）には、コントローラ60は更に、出湯サーモセンサ43a の検出する温度が沸騰危険下限温度である95℃未満であるか否かを判定し（ステップＳ19）、95℃未満（ステップＳ19でイエス）であれば、前回の燃焼運転停止から一定の待機時間が経過することを（ステップＳ20でイエス）条件に、燃焼を再開する（ステップＳ13）。
前記一定の待機時間は本例では１分とするが、数十秒から数分等の適当な時間を予め実験によって定めることができる。給湯回路40内に水が流れていれば、待機時間を経る間に、出湯サーモセンサ43a の検出温度も下がり、再燃焼運転をさせても危険ではなくなる一方、待機時間の経過で再燃焼を行うことで風呂追い焚き運転における出力低下を減らすことができる。
【００２１】
図４のフローチャートを参照して、本発明装置による風呂追い焚き単独運転時の第３の制御例を説明する。
今、図示しないリモコン等により、風呂追い焚き運転だけが指令されると、コントローラ60によって、風呂追い焚き単独運転が開始される。コントローラ60は、沸騰防止用サーモセンサ42a が検出する温度が燃焼許容上限温度である90℃以下であること（ステップＳ21でイエス）及び出湯サーモセンサ43a が検出する温度が燃焼許容上限温度である90℃未満であること（ステップＳ22でイエス）を確認して、バーナ20による熱交換缶体10の燃焼運転を開始する（ステップＳ23）。
燃焼運転開始後、コントローラ60は、沸騰防止用サーモセンサ42a が沸騰危険下限温度である95℃以上を検出するか否か（ステップＳ24）及び出湯サーモセンサ43a が沸騰危険下限温度である95℃以上を検出するか否か（ステップＳ25）を監視しながら、燃焼を継続し、風呂サーモセンサ51a の検出温度が風呂設定温度以上（ステップＳ26でイエス）になれば、燃焼運転を終了すると共に風呂追い焚き運転を終了する（ステップＳ27）。
【００２２】
前記燃焼運転中において、沸騰防止用サーモセンサ42a が沸騰危険下限温度以上を検出した（ステップＳ24でイエス）場合には、コントローラ60はバーナ20による燃焼を停止する（ステップＳ29）。
一方、沸騰防止用サーモセンサ42a が沸騰危険下限温度未満を検出している場合で（ステップＳ24でノー）、出湯サーモセンサ43a が沸騰危険下限温度以上を検出している（ステップＳ25でイエス）場合には、コントローラ60は前記ステップＳ21における沸騰防止用サーモセンサ42a の燃焼許容上限温度の設定値を90℃から70℃に低下させ、またステップＳ24における沸騰防止用サーモセンサ42a の沸騰危険下限温度の設定値を95℃から75℃に低下させて、設定変更し（ステップＳ28）、その後に燃焼を停止する（ステップＳ29）。
前記沸騰防止用サーモセンサ42a 側の沸騰危険下限温度及び燃焼許容上限温度をそれぞれより低い一定温度に変更設定することで、燃焼運転が停止される時間を増やすことができ、熱交換缶体10やその中の熱交換器の温度を低下させて、少量の水が流れている給湯回路側の出湯温度の低下を促すことができる。
沸騰防止用サーモセンサ42a の燃焼許容上限温度の変更後の設定値は70℃である必要はない。また沸騰危険下限温度の変更後の設定値も75℃である必要はない。それぞれ予め実験によって、元の設定値よりも低い適当な温度を定めておくことができる。
【００２３】
コントローラ60は、風呂追い焚き運転中であって、バーナ20の燃焼運転が停止されている間、沸騰防止用サーモセンサ42a が設定変更された燃焼許容上限温度である70℃以下になるか否か（ステップＳ21）、及び出湯サーモセンサ43a が燃焼許容上限温度である90℃以下になるか否か（ステップＳ22）を監視し、沸騰防止用サーモセンサ42a が70℃以下を検出し（ステップＳ21でイエス）、且つ出湯サーモセンサ43a が90℃以下を検出した（ステップＳ22でイエス）場合には、バーナ20の再燃焼運転を開始する（ステップＳ23）。
【００２４】
図５のフローチャートを参照して、本発明装置による風呂追い焚き単独運転時の第４の制御例を説明する。
今、図示しないリモコン等により、風呂追い焚き運転だけが指令されると、コントローラ60によって、風呂追い焚き単独運転が開始される。コントローラ60は、先ず、沸騰防止用サーモセンサ42a が検出する温度が燃焼許容上限温度である90℃以下であるか否か（ステップＳ31）の判断、給湯回路40の入水流量センサ41b が最低作動水量ＭＯＱ（本例では1.6 リットル／分）未満であるか否か（ステップＳ32）の判断、給湯回路40の入水流量センサ41b が最低作動水量ＭＯＱより小さい基準水量（本例では１リットル／分）未満であるか否か（ステップＳ34）の判断、及び前回燃焼停止から一定の待機時間（本例では３秒）を経過しているか否か（ステップＳ36）の判断を順次行い、全てイエスの場合にはバーナ20による熱交換缶体10の燃焼運転を開始する（ステップＳ37）。
前記ステップＳ32で給湯回路40を流れる流量が最低作動水量ＭＯＱ以上の場合は、給湯、風呂追い焚き同時運転モードに移行する（ステップＳ33）。
また前記ステップＳ34で給湯回路40を流れる流量が最低作動水量ＭＯＱ未満ではあるが、基準水量（１リットル／分）以上（ステップＳ34でノー）の場合には、ステップＳ35に進んで、出湯サーモセンサ43a が燃焼許容上限温度（本例では90℃）以下であるか否かが判定され、以下の場合（ステップＳ35でイエス）であればステップＳ36に進む。以上の場合（ステップＳ35でノー）であればステップＳ31に戻る。
【００２５】
燃焼運転開始後、コントローラ60は、風呂サーモセンサ51a による風呂検出温度が風呂設定温度以上になるのを監視し（ステップＳ43）、以上になれば（ステップＳ43でイエス）燃焼運転を終了し、風呂追い焚き運転を終了する（ステップＳ44）。
コントローラ60は、燃焼運転中において、沸騰防止用サーモセンサ42a が沸騰危険下限温度である95℃以上を検出するか否か（ステップＳ38）を監視し、以上となれば（ステップＳ38でイエス）、その時点で一旦燃焼を停止する（ステップＳ45）。これは沸騰防止のためである。
一方、沸騰防止用サーモセンサ42a が沸騰危険下限温度である95℃未満である場合（ステップＳ38でノー）には、給湯回路40の入水流量センサ41b が最低作動水量ＭＯＱ（本例では1.6 リットル／分）未満であるか否かを判定し（ステップＳ39）、ＭＯＱ以上の場合（ステップＳ39でノー）には給湯、風呂追い焚き同時運転モードに移行する（ステップＳ40）。
ＭＯＱ未満の場合（ステップＳ39でイエス）には、更に入水流量センサ41b が最低作動水量ＭＯＱ未満の一定の基準水量（本例では１リットル／分）未満であるか否かを判定し（ステップＳ41）、基準水量未満の場合（ステップＳ41でイエス）には、出湯サーモセンサ43a の検出を考慮することなく、ステップＳ43に進む。一方、最低作動水量ＭＯＱ未満であるが基準水量（１リットル／分）以上ある場合（ステップＳ41でノー）には、コントローラ60は出湯サーモセンサ43a の検出温度も考慮し、出湯サーモセンサ43a が沸騰危険下限温度（本例では95℃）以上を検出するか否かを判断する（ステップＳ42）。そして出湯サーモセンサ43a が沸騰危険下限温度以上を検出する（ステップＳ42でイエス）場合には、燃焼運転を停止する（ステップＳ45）。
【００２６】
燃焼運転中において、給湯回路40に水が流れない場合或いは流れても基準水量（１リットル／分）未満の場合には、沸騰防止用サーモセンサ42a の検出温度に及ぼす影響が僅かであるので、沸騰防止用サーモセンサ42a の検出温度が沸騰危険下限温度である95℃以上になるか否か、及び燃焼許容上限温度である90℃以下になるか否かのみを、燃焼停止条件及び燃焼再開の条件とすることができる。
そして給湯回路40に、最低作動水量ＭＯＱ未満であっても、前記基準水量（１リットル／分）以上の水が流れる場合には、その水によって沸騰防止用サーモセンサ42a の配置された給湯回路40の熱交換器42の途中位置の温度が低下せられる一方、熱交換器42を経た水は高温に加熱されて沸騰状態となる等の事情があるため、給湯回路40の熱交換器42の下流位置に設けた出湯サーモセンサ43a の温度を合わせて考慮することで、給湯回路40を通る少量の水の沸騰を予防し、それによって異常音の発生や高温の水の出湯を防止するのである。
勿論、給湯回路40に最低作動水量以上が流れる場合には、給湯運転も開始されて給湯、風呂追い焚き同時運転モードとなるので、そのモードでの制御が適用されることになる。
【００２７】
コントローラ60は、風呂追い焚き運転中であって、バーナ20の燃焼運転が停止されている間においては、ステップＳ45からステップＳ31に戻って、沸騰防止用サーモセンサ42a が燃焼許容上限温度以下の温度を検出するか否かを監視し、以下の場合（ステップＳ31でイエス）には、さらにステップＳ32、Ｓ34に進んで、給湯回路40には水が流れていないか或いは基準水量（１リットル／分）未満の水しか流れていないかを判断し、イエス（ステップＳ32でイエス、Ｓ34でイエス）の場合には、前回の燃焼停止から一定の待機時間（本例では３秒）後に再燃焼を開始する（ステップＳ37）。また沸騰防止用サーモセンサ42a が燃焼許容上限温度以下を検出している場合でも、給湯回路40側に最低作動水量ＭＯＱ未満で基準水量（１リットル／分）以上の水が流れている場合（ステップＳ34でノー）には、出湯サーモセンサ43a の検出する温度も監視し（ステップＳ35）、その出湯サーモセンサ43a の検出温度も燃焼許容上限温度（90℃）以下の場合（スッテプＳ35でイス）にはじめて、ステップＳ36を介して燃焼運転を再開する（ステップＳ36）。
【００２８】
【発明の効果】
本発明は以上の構成よりなり、請求項１に記載の１缶２回路式風呂釜装置によれば、風呂追い焚き単独運転中に、給湯回路側に給湯運転が開始されない程度の少量の水が流れた場合においても、給湯回路を流れる少量水が沸騰するのを防止することができ、これによって沸騰の際の耳障りな異常音の発生を防止し、また高温水出湯の恐れを防止することができる。
特に風呂追い焚き単独運転において、沸騰防止用サーモセンサの検出温度が一定の燃焼許容上限温度以下で、出湯サーモセンサの検出温度が沸騰危険下限温度未満で且つ一定の燃焼許容上限温度を超える場合には、前回の燃焼停止から一定の待機時間の経過を待って、燃焼運転を再開するようにしたコントローラを有するので、
その待機時間経過後には必ず燃焼許容上限温度以下になって、沸騰の恐れが防止されると共に待機時間経過後速やかに再燃焼が開始されることで、風呂追い焚きの加熱ロスを防止することができる。
また請求項２に記載の１缶２回路式風呂釜装置によれば、風呂追い焚き単独運転において、前記沸騰防止用サーモセンサが沸騰危険下限温度未満を検出している場合であっても、前記給湯回路の熱交換器の下流位置に設けた出湯サーモセンサが一定の沸騰危険下限温度以上を検出した場合には、沸騰防止用サーモセンサ側の沸騰危険下限温度及び燃焼許容上限温度をそれぞれより低い一定温度に変更設定した後、燃焼運転を停止させるようにしたコントローラを有するので、
燃焼運転が一旦停止された後における再燃焼の際に、熱交換缶体や熱交換器の温度が大きく上昇するのを抑制することができ、これによって熱交換缶体やその中の熱交換器の温度を低下させて、少量の水が流れている給湯回路側での沸騰の予防を確実に促すことができる。
また請求項３に記載の１缶２回路式風呂釜装置によれば、請求項２に記載の構成による効果に加えて、風呂追い焚き単独運転において、沸騰防止用サーモセンサ及び出湯サーモセンサの両方がそれぞれ沸騰危険下限温度未満の一定の燃焼許容上限温度以下を検出した場合には、燃焼運転が再開される。
【図面の簡単な説明】
【図１】本発明の１缶２回路式風呂釜装置の実施の形態例を示す全体構成図である。
【図２】本発明装置による風呂追い焚き単独運転時の第１の制御例を示すフローチャートである。
【図３】本発明装置による風呂追い焚き単独運転時の第２の制御例を示すフローチャートである。
【図４】本発明装置による風呂追い焚き単独運転時の第３の制御例を示すフローチャートである。
【図５】図５は本発明装置による風呂追い焚き単独運転時の第４の制御例を示すフローチャートである。
【符号の説明】
10  熱交換缶体
20  バーナ
40  給湯回路
41  入水管
41b 入水流量センサ
42  熱交換器
42a 沸騰防止用サーモセンサ
43  出湯管
43a 出湯サーモセンサ
50  風呂追い焚き回路
51a 風呂サーモセンサ
52  熱交換器
60  コントローラ
【図１】
0003713874.tif 000002
【図２】
0003713874.tif 000003
【図３】
0003713874.tif 000004
【図４】
0003713874.tif 000005
【図５】
0003713874.tif 000006